(57)【特許請求の範囲】
【請求項１】
カードの一方の面に配列された複数の接続端子がプリント基板の一方の面と同じ向きになるように、前記カードが前記プリント基板の端部から挿入されるリバースタイプのカード用コネクタであって、
前記カードが挿入される凹部を有する平板状のハウジングと、
前記ハウジングに配列され、複数の前記接続端子と前記プリント基板とを電気的に接続する複数のコンタクトと、
前記ハウジングの凹部を覆う共に、端縁が前記プリント基板の端縁と略一致するように、前記プリント基板の一方の面に当接する平坦なカバー板と、
このカバー板に対向して配置され、前記ハウジングの底面側から囲うシェル板と、を備え、
前記ハウジングは、前記カバー板の端縁から前記凹部の底壁が延出して前記カードを載置可能な延出部を有し、
この延出部は、前記プリント基板の端縁から突出するように配置されるカード用コネクタ。
【請求項２】
前記延出部は、前記カードを把持して引き出し容易な切り欠き部を前縁の中央部に有する請求項１記載のカード用コネクタ。
【請求項３】
前記ハウジングは、前記カードを前記凹部に押し込むと当該カードがロックされ、当該カードを再度押込むとロックが解除されて当該カードが前記凹部から排出可能なプッシュ・プッシュ型のイジェクト機構を内部に有する請求項１又２記載のカード用コネクタ。
【請求項４】
前記カードが情報を記録するｍｉｃｒｏＳＤカードからなり、
情報を管理するＳＤカードが接続されるノーマルタイプのＳＩＭカード用コネクタが下段に配置される請求項１から３のいずれかに記載のカード用コネクタ。
【発明の詳細な説明】
【技術分野】
【０００１】
本発明は、カード用コネクタに関する。特に、ＳＤ（Ｓｅｃｕｒｅ  Ｄｉｇｉｔａｌ）カードなどのメモリカードとプリント基板を電気的に接続するカード用コネクタであって、リバースタイプのカード用コネクタの構造に関する。
【背景技術】
【０００２】
カード型の記憶装置であるメモリカードは、記憶媒体としてフラッシュメモリを採用している。メモリカードは非常に小型であり、データの読み書きにほとんど電力を消費しないため、例えば、携帯電話機やＰＤＡ（Ｐｅｒｓｏｎａｌ  Ｄｉｇｉｔａｌ  Ａｓｓｉｓｔａｎｃｅ）に代表される携帯型情報機器用の記録メディアとして普及している。
【０００３】
近年においては、携帯電話機には、情報管理用のメモリカードと記録用のメモリカードとが搭載されている。前者の情報管理用のメモリカードは、ＳＩＭ（Ｓｕｂｓｃｒｉｂｅｒ  Ｉｄｅｎｔｉｔｙ  Ｍｏｄｕｌｅ：加入者識別モジュール）カードが利用され、後者の記録用のメモリカードは、例えば、ＳＤカードが利用されている。
【０００４】
ＳＩＭカードには、携帯電話会社と契約した契約者情報が記録されている。そして、ＳＩＭカードを携帯電話機に差し込むと、利用者を識別できる。つまり、ＳＩＭカードを差し替えることにより、同じ契約者扱いで機種の異なる携帯電話機を利用できる。一方、ＳＤカードは、ダウンロードした音楽の録音再生、又はワンセグ放送の録画再生などに利用されている。
【０００５】
一般に、カード用コネクタは、プリント基板に実装されている。又、カードの一方の面上には、複数の接続端子が露出している。そして、カード用コネクタに備わるベローズ形のコンタクトがこれらの接続端子を付勢することにより、カードとプリント基板とを電気的に接続している。
【０００６】
前述したカード用コネクタには、ノーマルタイプとリバースタイプがあることが知られている。ノーマルタイプのカード用コネクタは、プリント基板へのカード用コネクタの実装面とカードに設けた接続端子が対向するように構成されている。一方、リバースタイプのカード用コネクタは、プリント基板へのカード用コネクタの実装面とカードに設けた接続端子が同じ向きになるように構成されている。
【０００７】
前述したリバースタイプのカード用コネクタとしては、従来と比べて効果的に薄型化（低背化）を図ることが可能なカード用コネクタが開示されている（例えば、特許文献１参照）。
【先行技術文献】
【特許文献】
【０００８】
【特許文献１】特開２００９−１４０８０１号公報
【発明の概要】
【発明が解決しようとする課題】
【０００９】
一般に、このようなカード用コネクタは、カードの出し入れを容易にするため、プリント基板の端部に配置されている。又、特許文献１に開示されたリバースタイプのカード用コネクタは、操作側から見て、プリント基板に視覚を遮られるように、電子機器に配置されている。つまり、カードのオモテ面と反対側のウラ面に接続端子が配置されるようにして、カードをリバースタイプのカード用コネクタに挿入している。
【００１０】
例えば、このようなリバースタイプのカード用コネクタは、携帯電話機の背面側の内部に収容された電池パック（バッテリ）の内側にカードスロットを設けて配置されているので、プリント基板のオモテ面から観て、プリント基板にカードスロットが遮られて、カードをカードスロットに容易に挿入できない、という問題がある。
【００１１】
本発明は、このような問題に鑑みてなされたものであり、プリント基板の裏面側の端部に配置されたリバースタイプのカード用コネクタであって、カードの挿入が容易なリバースタイプのカード用コネクタを提供することを目的とする。
【課題を解決するための手段】
【００１２】
本発明者らは、プリント基板の端縁から突出するように配置される延出部をハウジングに設けることにより、上記の課題が解決できることを見出し、これに基づいて、以下のような新たなカード用コネクタを発明するに至った。
【００１３】
（１）  カードの一方の面に配列された複数の接続端子がプリント基板の一方の面と同じ向きになるように、前記カードが前記プリント基板の端部から挿入されるリバースタイプのカード用コネクタであって、前記カードが挿入される凹部を有する平板状のハウジングと、前記ハウジングに配列され、複数の前記接続端子と前記プリント基板とを電気的に接続する複数のコンタクトと、前記ハウジングの凹部を覆う共に、端縁が前記プリント基板の端縁と略一致するように、前記プリント基板の一方の面に当接する平坦なカバー板と、このカバー板に対向して配置され、前記ハウジングの底面側から囲うシェル板と、を備え、前記ハウジングは、前記カバー板の端縁から前記凹部の底壁が延出して前記カードを載置可能な延出部を有し、この延出部は、前記プリント基板の端縁から突出するように配置されるカード用コネクタ。
【００１４】
（１）の発明によるカード用コネクタは、カードの一方の面に配列された複数の接続端子がプリント基板の一方の面と同じ向きになるように、カードがプリント基板の端部から挿入されるリバースタイプのカード用コネクタである。そして、（１）の発明によるカード用コネクタは、平板状のハウジングと複数のコンタクトを備えている。又、（１）の発明によるカード用コネクタは、平坦なカバー板とシェル板を備えている。
【００１５】
ハウジングは、カードが挿入される凹部を有している。複数のコンタクトは、ハウジングに配列され、複数の接続端子とプリント基板とを電気的に接続している。カバー板は、ハウジングの凹部を覆っている。又、カバー板は、その端縁がプリント基板の端縁と略一致するように、プリント基板の一方の面に当接している。シェル板は、カバー板に対向して配置され、ハウジングの底面側から囲っている。
【００１６】
又、ハウジングは、カバー板の端縁から凹部の底壁が延出して、カードを載置可能な延出部を有している。そして、延出部は、プリント基板の端縁から突出するように配置されている。
【００１７】
ハウジングは、絶縁性を有している。絶縁性のハウジングとは、非導電性の材料からなるハウジングのことであってよく、合成樹脂を成形して、所望の形状の絶縁性のハウジングを得ることができる。
【００１８】
コンタクトは導電性を有しており、導電性の金属板を打ち抜き加工又は折り曲げ加工して、所望の形状の導電性のコンタクトを得ることができる。コンタクトは加工の容易性や、ばね特性、導電性などを考慮すれば、例えば、銅合金が好ましく用いられるが、銅合金に限定される訳ではない。
【００１９】
一般に、カードは、絶縁性のプラスチック筐体の内部にＩＣチップが収納されている。このＩＣチップは、筐体の一方の面に貼り付けられた複数の金属箔に接続されている。そして、筐体の一方の面に配列された複数の金属箔がカードの接続端子となっている。個別のコンタクトは、個別の接続端子と一対一に接続されてよく、機械的及び電気的に接続する。
【００２０】
コンタクトは、ばねの働きが片持ち梁であるベローズ形のカンチレバーコンタクトが好ましく用いられる。コンタクトは、弾性アームと固定アームで構成されてよく、弾性アームは、凹部の底面から突出して、カードに形成された接続端子に接触する接点を設けてよく、固定アームは、凹部に圧入して固定することができる。
【００２１】
コンタクトの固定アームは、ハウジングと一体にモールド成形して、凹部に固定することもできる。固定アームの端部にリード部を形成してもよく、このリード部をプリント基板の一方の面にハンダ接合することにより、このカード用コネクタを表面実装用コネクタとすることができる。
【００２２】
ハウジングには、カードの両側面を案内する一対の側壁を設けることができ、これらの側壁と直交して、カードの先端縁が当接する停止壁を設けることもできる。又、ハウジングには、一方の側壁に沿ってスライドする、後述するプッシュ・プッシュ機構を構成するスライド部材を設けることもできる。そして、スライド部材の側壁、他方の側壁、及び停止壁で囲われた薄直方体状の空間を「カードが挿入される凹部」と規定できる。又、カード保持部とすることもできる。
【００２３】
この凹部がカバー板で覆われることにより、停止壁と対向してカードが挿入される長方形の開口（カードスロット）が形成される。対向するスライド部材の側壁と他方の側壁の距離は、カードの幅よりも充分に広く、他方の側壁とスライド部材とがカードの両翼を規制して、カードの正しい姿勢（傾き）が維持され、カードに配列された接続端子とハウジングに配列されたコンタクトとを正しく位置合わせできる。
【００２４】
カバー板は、導電性を有する金属薄板からなることが好ましく、カバー板の平担面がハウジングの凹部を覆うことにより、凹部に挿入されたカードを電磁遮蔽するシールド効果を得ることができる。又、カバー板は、ハウジングの一方の面に当接するので、カードがハウジングの一方の面を直接、研磨するように損傷することを防止できる。
【００２５】
同様に、シェル板は、導電性を有する金属薄板からなり、展開された金属薄板を成形加工することにより、所望の形状のシェル板を得ることができる。シェル板は、ハウジングの略外殻を構成しており、ハウジングの機械的強度を補完している。又、シェル板は、ハウジングの底面側から囲うことにより、凹部に挿入されたカードを電磁遮蔽（シールド）できる。
【００２６】
シェル板は、両翼が直角に折り曲げ加工されることが好ましく、これらの折り曲げ片に矩形穴を形成し、ハウジングの両側面に突出するランスに係止するようにしてもよい。又、これらの折り曲げ片には、プリント基板の一方の面にハンダ接合されるリード片を設けてもよく、プリント基板との接合強度を補強でき、シェル板をプリント基板のグラウンドに接地することもできる。
【００２７】
（１）の発明によるカード用コネクタは、カバー板の端縁から凹部の底壁が延出してカードを載置可能な延出部をプリント基板の端縁から突出するように配置しているので、プリント基板の他方の面から観て、プリント基板にカードスロットが遮られても、延出部にカードが案内されて、カードをカードスロットに容易に挿入できる。
【００２８】
（２）  延出部は、前記カードを把持して引き出し容易な切り欠き部を前縁の中央部に有する（１）記載のカード用コネクタ。
【００２９】
（３）  前記ハウジングは、前記カードを前記凹部に押し込むと当該カードがロックされ、当該カードを再度押込むとロックが解除されて当該カードが前記凹部から排出可能なプッシュ・プッシュ型のイジェクト機構を内部に有する（１）又（２）記載のカード用コネクタ。
【００３０】
例えば、プッシュ・プッシュ型のイジェクト機構は、スライド部材、Ｊ字状の板ばね、圧縮コイルばね、及び案内棒で構成できる。スライド部材は、カードの挿抜方向と平行する方向に進退するように凹部の片翼に配置され、ハート型のカム溝が形成されている。板ばねは、基端部がスライド部材に固定され、先端部が凹部の開口に向かって突出する突出片、及びこの突出片の先端部が屈曲されて突出片の基端部に向かって反転する反転片を有している。
【００３１】
圧縮コイルばねは、ハウジングに保持され、スライド部材をカードが排出される方向に力を付勢している。案内棒は、一端がハート型のカム溝に連結し、他端がハウジングに回動自在に支持されている。
【００３２】
更に、スライド部材は、凹部の片翼側から凹部の開口に突出して、カードの側面途上に形成された斜辺に当接する係合辺を有している。又、突出片は、カードの斜辺に隣接される略方形の溝部にカードの側面側から出入りし、溝部に弾性をもって係止する第１屈曲部を先端部に有している。
【００３３】
更に、反転片は、第１屈曲部と相反する向きに形成されると共に、凹部の一方の側壁に近接して移動する第２屈曲部を先端部に有している。この第２屈曲部は、カードの溝部が第１屈曲部を乗り越えて、第１屈曲部を変位させる力が作用したときに、凹部の一方の側壁に当接して、第１屈曲部がカードの溝部に向かう力を付勢する。
【００３４】
（３）の発明によるカード用コネクタは、カードを凹部に押し込むとカードがロックされ、カードを再度押込むとロックが解除されて、カードが凹部から排出可能なプッシュ・プッシュ型のイジェクト機構をハウジングの内部に有するので、カードを容易に挿抜できる。
【００３５】
（４）  前記カードが情報を記録するｍｉｃｒｏＳＤカードからなり、情報を管理するＳＤカードが接続されるノーマルタイプのＳＩＭカード用コネクタが下段に配置される（１）から（３）のいずれかに記載のカード用コネクタ。
【００３６】
（４）の発明によるカード用コネクタは、ＳＩＭカード用コネクタが下段に配置されていても、延出部にカードが案内されて、カードをカードスロットに容易に挿入でき、ｍｉｃｒｏＳＤカードをこのカード用コネクタから取り外せば、ＳＩＭカード用コネクタからＳＤカードを容易に取り外すことができる。
【発明の効果】
【００３７】
本発明によるカード用コネクタは、カバー板及びシェル板の端縁から凹部の底壁が延出してカードを載置可能な延出部をプリント基板の端縁から突出するように配置しているので、プリント基板の他方の面から観て、プリント基板にカードスロットが遮られても、延出部にカードが案内されて、カードをカードスロットに容易に挿入できる。
【図面の簡単な説明】
【００３８】
【図１】本発明の一実施形態によるカード用コネクタの構成を示す斜視図であり、プリント基板の一方の面に実装されたカード用コネクタをプリント基板の他方の面から観た状態図である。
【図２】前記実施形態によるカード用コネクタの構成を示す斜視図であり、プリント基板の一方の面に実装されたカード用コネクタをプリント基板の一方の面から観た状態図である。
【図３】前記実施形態によるカード用コネクタの構成を示す図であり、図３（Ａ）は、カード用コネクタをプリント基板の他方の面から観た平面図、図３（Ｂ）は、図３（Ａ）のＸ−Ｘ矢視断面図である。
【図４】前記実施形態によるカード用コネクタの構成を示す斜視図である。
【図５】前記実施形態によるカード用コネクタの構成を示す図であり、図５（Ａ）は、カード用コネクタの平面図、図５（Ｂ）は、カード用コネクタの正面図、図５（Ｃ）は、カード用コネクタの下面図、図５（Ｄ）は、カード用コネクタの右側面図である。
【図６】前記実施形態によるカード用コネクタの構成を示す図であり、図６（Ａ）は、カード用コネクタの背面図、図６（Ｂ）は、図６（Ａ）の右側面図である。
【図７】前記実施形態によるカード用コネクタの構成を示す斜視図であり、カード用コネクタに備わるカバー板を取り外した状態図である。
【図８】前記実施形態によるカード用コネクタの構成を示す斜視図であり、カード用コネクタに備わるカバー板をハウジングの凹部に対向配置した状態図である。
【図９】前記実施形態によるカード用コネクタに備わるシェル板の構成を示す斜視図である。
【図１０】前記実施形態によるカード用コネクタの構成を示す斜視分解組立図である。
【図１１】前記実施形態によるカード用コネクタに備わるハウジングの構成を示す斜視図である。
【図１２】前記実施形態によるカード用コネクタの下段にノーマルタイプのＳＩＭカード用コネクタを配置した状態を示す縦断面図である。
【発明を実施するための形態】
【００３９】
以下、図面を参照して本発明を実施するための形態を説明する。
【００４０】
［カード用コネクタの構成］
最初に、本発明の一実施形態によるカード用コネクタの構成を説明する。図１は、本発明の一実施形態によるカード用コネクタの構成を示す斜視図であり、プリント基板の一方の面に実装されたカード用コネクタをプリント基板の他方の面から観た状態図である。
【００４１】
図２は、前記実施形態によるカード用コネクタの構成を示す斜視図であり、プリント基板の一方の面に実装されたカード用コネクタをプリント基板の一方の面から観た状態図である。図３は、前記実施形態によるカード用コネクタの構成を示す図であり、図３（Ａ）は、カード用コネクタをプリント基板の他方の面から観た平面図、図３（Ｂ）は、図３（Ａ）のＸ−Ｘ矢視断面図である。
【００４２】
図１から図３を参照すると、本発明の一実施形態によるカード用コネクタ（以下、コネクタと略称する）１０は、プリント基板１ｐの一方の面１１ｐの端部に実装されている。コネクタ１０は、プリント基板１ｐの他方の面１２ｐから観ると、その大部分がプリント基板１ｐに遮蔽されるように、プリント基板１ｐの端部に実装されている（図１参照）。
【００４３】
図２を参照すると、カード１は、略矩形に形成され、複数の接続端子１３を一方の面１１の一方の端部に配列している。そして、図１又は図３を参照すると、カード１に配列した複数の接続端子１３がプリント基板１ｐの一方の面１１ｐと同じ向きになるように、カード１がプリント基板１ｐの端部から挿入される。つまり、実施形態によるコネクタ１０は、リバースタイプのカード用コネクタとなっている。
【００４４】
図１から図３を参照すると、実施形態によるカード１は、ｍｉｃｒｏＳＤカードを示している。カード１は、他方の面１２から隆起する段差部１４を他方の端部に形成している。一方、プリント基板１ｐは、カード１がコネクタ１０に挿入されたときに、段差部１４が当接しないように、端縁１３ｐが切り欠かれた逃げ部１４ｐを形成している。
【００４５】
引き続き、実施形態によるコネクタ１０の構成を説明する。図４は、前記実施形態によるカード用コネクタの構成を示す斜視図である。図５は、前記実施形態によるカード用コネクタの構成を示す図であり、図５（Ａ）は、カード用コネクタの平面図、図５（Ｂ）は、カード用コネクタの正面図、図５（Ｃ）は、カード用コネクタの下面図、図５（Ｄ）は、カード用コネクタの右側面図である。
【００４６】
又、図６は、前記実施形態によるカード用コネクタの構成を示す図であり、図６（Ａ）は、カード用コネクタの背面図、図６（Ｂ）は、図６（Ａ）の右側面図である。図７は、前記実施形態によるカード用コネクタの構成を示す斜視図であり、カード用コネクタに備わるカバー板を取り外した状態図である。図８は、前記実施形態によるカード用コネクタの構成を示す斜視図であり、カード用コネクタに備わるカバー板をハウジングの凹部に対向配置した状態図である。
【００４７】
更に、図９は、前記実施形態によるカード用コネクタに備わるシェル板の構成を示す斜視図である。図１０は、前記実施形態によるカード用コネクタの構成を示す斜視分解組立図である。図１１は、前記実施形態によるカード用コネクタに備わるハウジングの構成を示す斜視図である。
【００４８】
図７又は図８及び図１０を参照すると、コネクタ１０は、平板状のハウジング２を備えている。ハウジング２は、カード１が挿入される凹部２１を有している。又、コネクタ１０は、複数のコンタクト３を備えている。複数のコンタクト３は、ハウジング２に配列され、複数の接続端子１３とプリント基板１ｐとを電気的に接続している。
【００４９】
又、図４から図９を参照すると、コネクタ１０は、平坦なカバー板４とシェル板５を備えている。カバー板４は、ハウジング２の凹部２１を覆っている。又、カバー板４は、その端縁４１１がプリント基板１ｐの端縁１３ｐと略一致するように、プリント基板１ｐの一方の面１１ｐに当接している。シェル板５は、カバー板４に対向して配置され、ハウジング２の底面側から囲っている。
【００５０】
図１から図１１を参照すると、ハウジング２は、カバー板４の端縁４１１から凹部２１の底壁が延出して、カード１を載置可能な延出部２２を有している。そして、延出部２２は、プリント基板１ｐの端縁１３ｐから突出するように配置されている。
【００５１】
図７又は図８及び図１０を参照すると、コンタクト３は、ばねの働きが片持ち梁であるカンチレバーコンタクトであってよく、弾性アーム３１と固定アーム３２で構成されている。弾性アーム３１は、凹部２１の底面から突出して、カード１に形成された接続端子１３（図２参照）に接触する接点３ａを設けている。固定アーム３２は、凹部２１の底面に一体にモールド成形されて固定されている。又、固定アーム３２の端部にリード部３ｂが形成され、リード部３ｂをプリント基板１ｐにハンダ接合することにより、コネクタ１０を表面実装用コネクタとすることができる（図２参照）。
【００５２】
図７又は図８及び図１０を参照すると、ハウジング２は、プッシュ・プッシュ型のイジェクト機構６を内部に有している。イジェクト機構６は、スライド部材６ａ、Ｊ字状の板ばね６ｂ、圧縮コイルばね６ｃ、及び案内棒６ｄで構成している。スライド部材６ａは、カード１の挿抜方向と平行する方向に進退するように凹部２１の片翼に配置され、ハート型のカム溝６１ａが形成されている。
【００５３】
図７又は図８及び図１０を参照すると、板ばね６ｂは、突出片６１ｂと反転片６２ｂを有している。突出片６１ｂの基端部は、スライド部材６ａに固定されている。突出片６１ｂの先端部は、凹部２１の開口に向かって突出している。反転片６２ｂは、突出片６１ｂの先端部が屈曲されて、突出片６１ｂの基端部に向かって反転している。
【００５４】
図７又は図８及び図１０を参照すると、圧縮コイルばね６ｃは、ハウジング２に保持され、スライド部材６ａをカード１が排出される方向に力を付勢している。案内棒６ｄは、一端６１ｄがハート型のカム溝６１ａに連結し、他端６２ｄがハウジング２に回動自在に支持されている。スライド部材６ａは、凹部２１の片翼側から凹部２１の開口に突出し、カード１の側面途上に形成された斜辺１ａに当接する係合辺６１を有している（図１又は図２参照）。
【００５５】
図１０を参照すると、突出片６１ｂは、第１屈曲部６１１を先端部に有している。第１屈曲部６１１は、カード１の斜辺１ａに隣接される略方形の溝部１ｂにカード１の側面側から出入りし、溝部１ｂに弾性をもって係止する。一方、反転片６２ｂは、第２屈曲部６１２を先端部に有している。第２屈曲部６１２は、第１屈曲部６１１と相反する向きに形成されると共に、凹部２１の一方の側壁２１ａに近接して移動する。
【００５６】
図２又は図４を参照すると、コネクタ１０は、ハウジング２にカバー板４が取り付けられることにより、カード１が挿入される開口（カードスロット）２０を形成し、薄直方体形状のカード保持部が形成される。
【００５７】
図７又は図８及び図１０又は図１１を参照すると、ハウジング２は、対向する一対の側壁２１ａ・２１ｂと、一対の側壁２１ａ・２１ｂと直交してカード１の先端縁が当接する停止壁２１ｃを有している。又、ハウジング２は、側壁２１ａに沿ってスライドするスライド部材６ａを備えている。そして、スライド部材６ａの側壁６２、側壁２１ｂ、及び停止壁２１ｃで囲われた薄直方体状の空間を凹部２１とすることができる。
【００５８】
図４から図８を参照すると、凹部２１がカバー板４で覆われることにより、停止壁２１ｃと対向してカード１が挿入される長方形の開口が形成される。対向する側壁２１ｂとスライド部材６ａの側壁６２との距離は、カード１の幅よりも僅かに広く、他方の側壁２１ｂとスライド部材６ａ及び板ばね６ｂとがカード１の両翼を規制して、カード１の正しい姿勢が規制され、カード１の接続端子１３とコンタクト３とが正しく位置合わせできる。
【００５９】
図４から図６を参照すると、カバー板４は、両翼の一部が直角に折り曲げ加工されている。これらの折り曲げ片４ａの先端部は、Ｔ字状に形成されている。そして、これらの折り曲げ片４ａがシェル板５の両翼に設けた鉤状の穴５ａに係止することにより（図９参照）、カバー板４がハウジング２に組み込まれる。又、凹部２１と対向するカバー板４の平坦面４０には、案内棒６ｄをハート型のカム溝６１ａの底面に付勢する片持ち状のばね片４ｂを設けている（図１０参照）。
【００６０】
図５又は図９を参照すると、シェル板５は、一方の方向の両翼が直角に折り曲げ加工されている。又、シェル板５は、他方の方向の両翼の一部が直角に折り曲げ加工されている。これらの折り曲げ片には、複数の矩形穴５ｂが形成されている。複数の矩形穴５ｂがハウジング２の両端面に突出するランス２ｒに係止することにより、シェル板５がハウジング２に組み込まれる。又、シェル板５には、プリント基板１ｐにハンダ接合されるリード片５ｒを設けている（図２参照）。
【００６１】
図７又は図８及び図１０を参照すると、凹部２１の一方の片翼には、スライド部材６ａが配置されている。凹部２１の他方の片翼には、カード１が装着位置に在ることを電気的に検出するカード検出スイッチ７を設けている。カード検出スイッチ７は、可動板７ａと固定板７ｂで構成している。カード１が装着位置に在るときは、カード１の先端縁に押されて、可動板７ａの先端部が変位して、可動板７ａと固定板７ｂが電気的に接続状態となる。カード１を抜去すると、可動板７ａの先端部は、復帰して可動板７ａと固定板７ｂとは電気的に遮断状態となる。このようにカード１の有無が電気的に検出される。
【００６２】
図１０又は図１１を参照すると、ハウジング２の片翼には、スライド部材６ａを移動可能に案内する溝２５を設けている。スライド部材６ａは、溝２５に規制されてカード１の挿抜方向と平行する方向に進退できる。スライド部材６ａは、進退する直線運動のみが許容されている。
【００６３】
図１０又は図１１を参照すると、ハウジング２の片翼には、圧縮コイルばね６ｃを収容する縦長の溝２６を形成している。一方、スライド部材６ａには、圧縮コイルばね６ｃの一方のコイル端部が当接される片翼片を形成している。この片翼片は、スライド部材６ａの長手方向と直交する方向にＬ字状に突出している。
【００６４】
図７又は図８及び図１０を参照すると、スライド部材６ａの片翼片には、溝２５と略平行に突出する円柱突起６２ａを形成している。一方、ハウジング２の停止壁２１ｃには、円柱突起６２ａに対向し、溝２５に連通する方形溝２５ａを形成している。そして、圧縮コイルばね６ｃの両コイル端部を円柱突起６２ａと方形溝２５ａと間に装架することにより、スライド部材６ａをカード１が排出される方向に力を付勢することができる。カード１が挿入されない状態では、スライド部材６ａは圧縮コイルばね６ｃに付勢されて、凹部２１の開口２０側に停止している。
【００６５】
図７又は図８及び図１０を参照すると、案内棒６ｄの両端は、略直角に屈折されており、案内棒６ｄの一端６１ｄは、スライド部材６ａの表面に穿設されたハート型のカム溝６１ａに連結する。一方、案内棒６ｄの他端６２ｄは、ハウジング２の停止壁２１ｃに形成された穴２５ｈに挿入され、回動自在に支持される。そして、案内棒６ｄの一端６１ｄは、ハート型のカム溝６１ａに従動できる。
【００６６】
図７又は図８及び図１０を参照すると、ハート型のカム溝６１ａは、始点Ａ１からの行き行程の軌跡と、始点Ａ１に戻る帰り行程の軌跡とを描いている。ハート型のカム溝６１ａの軌跡は、案内棒６ｄの一端６１ｄが部分的に逆行することはあっても、全行程において案内棒６ｄの一端６１ｄが逆行しない不可逆の連続軌跡を描いている。そして、ハート型のカム溝６１ａは、行き行程の軌跡と帰り行程の軌跡の分岐点に、Ｖ字状に陥没するＶ字溝Ａ２を形成している。
【００６７】
図１又は図１０を参照すると、案内棒６ｄの一端６１ｄがＶ字溝Ａ２に係止することにより、圧縮コイルばね６ｃに付勢されて、カード１の装着位置でスライド部材６ａをロックできる。ハート型のカム溝６１ａと案内棒６ｄで構成するカム装置は、スライド部材６ａの停止位置を規定している。
【００６８】
図１又は図７、図８及び図１０を参照すると、カード１を凹部２１に挿入すると、カード１の斜辺１ａが第１屈曲部６１１に当接する。更に、カード１を挿入すると、第１屈曲部６１１は斜辺１ａとスライドしながら、斜辺１ａから離反する方向に弾性変形する。そして、斜辺１ａが係合辺６１に当接した状態では、第１屈曲部６１１はカード１の側面をスライドして、カード１の溝部１ｂに突出している。なお、スライド部材６ａの係合辺６１は、カード１の斜辺１ａと同じ勾配をもつ斜面が形成されている。続いて、カードを押すと、スライド部材６ａは、ハウジング２の凹部２１の奥方向に移動する。
【００６９】
図７又は図８及び図１０を参照すると、カード１を押し切って、若干戻った状態で、案内棒６ｄの一端６１ｄがＶ字溝Ａ２に係止して、カード１の装着位置で、スライド部材６ａがハウジング２にロックされる。カード１の装着位置では、突出片６１ｂの先端部にある第１屈曲部６１１がカード１の溝部１ｂに弾性をもって係止しているので、カード１の装着状態を確実に維持できる。
【００７０】
図７又は図８及び図１０を参照すると、カード１の装着状態から、カード１を一旦（再度）押すと、案内棒６ｄの一端６１ｄは、Ｖ字溝Ａ２から解放されて、帰り行程に移動する。そして、圧縮コイルばね６ｃに付勢されて、スライド部材６ａは、カード１を凹部２１の開口２０側に移動させる。案内棒６ｄの一端６１ｄがハート型のカム溝６１ａの始点Ａ１に相対的に戻った時点で、スライド部材６ａが停止する。カード１には、慣性力が作用するが、第１屈曲部６１１がカード１の溝部１ｂに弾性をもって係止しているので、カード１の不用意な飛び出しを確実に防止できる。そして、カード１を比較的強い力で引く抜くことによりカード１をコネクタ１０から離脱（排出）できる。
【００７１】
このように、プッシュ・プッシュ型のイジェクト機構６は、カード１を凹部２１に押し込むとカード１がロックされ、カード１を再度押込むと、ロックが解除されてカード１が凹部２１から排出できる。
【００７２】
［カード用コネクタの作用］
次に、実施形態によるコネクタ１０の構成を補足しながら、コネクタ１０の作用及び効果を説明する。図１２は、前記実施形態によるカード用コネクタの下段にノーマルタイプのＳＩＭカード用コネクタを配置した状態を示す縦断面図である。
【００７３】
図１から図１１を参照すると、実施形態によるコネクタ１０は、カバー板４の端縁から凹部２１の底壁が延出して、カード１を載置可能な延出部２２をプリント基板１ｐの端縁１３ｐから突出するように配置している。したがって、プリント基板１ｐの他方の面１２ｐから観て、プリント基板１ｐに開口（カードスロット）２０が遮られても、延出部２２にカード１が案内されて、カード１を開口２０に容易に挿入できる。
【００７４】
図１又は図２及び図４を参照すると、延出部２２には、カード１を把持して引き出し容易な切り欠き部２３を前縁の中央部に設けているので、カード１の後端部を把持できる（図３参照）。
【００７５】
又、図７又は図８及び図１０を参照すると、実施形態によるコネクタ１０は、カード１を凹部２１に押し込むとカード１がロックされ、カード１を再度押込むとロックが解除されて、カード１が凹部２１から排出可能なプッシュ・プッシュ型のイジェクト機構６をハウジング２の内部に有するので、カード１を容易に挿抜できる。
【００７６】
図１２を参照すると、例えば、カード１は、情報を記録するｍｉｃｒｏＳＤカードからなっている。そして、情報を管理するＳＤカード（図示せず）が接続されるノーマルタイプのＳＩＭカード用コネクタ１００がプリント基板２ｐに実装されて、コネクタ１０の下段に配置さている。
【００７７】
図１２は、携帯電話機などへのカード用コネクタの実装形態を示している。実施形態によるコネクタ１０は、ＳＩＭカード用コネクタ１００が下段に配置されていても、延出部２２にカード１が案内されて、カード１をカードスロットに容易に挿入でき、ｍｉｃｒｏＳＤカードをコネクタ１０から取り外せば、ＳＩＭカード用コネクタ１００からＳＤカードを容易に取り外すことができる。
【００７８】
図１２を参照すると、実施形態によるコネクタ１０は、その実装高さを限りなく低く（低背化）している。ＳＩＭカード用コネクタ１００も同様に低背化することにより、例えば、サブ基板であるプリント基板１ｐとメイン基板であるプリント基板２ｐとの間隙Ｄを小さくできる。これにより、電子装置を小型化・薄型化にすることに貢献できる。
【符号の説明】
【００７９】
１  カード
１ｐ  プリント基板
２  ハウジング
３  コンタクト
４  カバー板
５  シェル板
１０  コネクタ（カード用コネクタ）
１１  一方の面（カードの一方の面）
１１ｐ  一方の面（プリント基板の一方の面）
１３  接続端子
１３ｐ  端縁（プリント基板の端縁）
２１  凹部
２２  延出部
【図１】
0005523243.tif 000002
【図２】
0005523243.tif 000003
【図３】
0005523243.tif 000004
【図４】
0005523243.tif 000005
【図５】
0005523243.tif 000006
【図６】
0005523243.tif 000007
【図７】
0005523243.tif 000008
【図８】
0005523243.tif 000009
【図９】
0005523243.tif 000010
【図１０】
0005523243.tif 000011
【図１１】
0005523243.tif 000012
【図１２】
0005523243.tif 000013